(57)【要約】【課題】検索されたＷｅｂサイトのサイト情報と共に、ユーザにとって有益な広告情報を表示させることができる検索サーバおよび検索方法を提供すること。【解決手段】Ｗｅｂサイトのサイト情報が登録された検索用データベース１５を参照し、入力された検索キーワードに応じてＷｅｂサイトを検索するステップ（ステップＳ１２）と、Ｗｅｂサイトの検索結果を用い、検索されたＷｅｂサイトに関連付けられた広告情報を取得するステップ（ステップＳ１４）と、検索結果と広告情報とから検索結果ページの表示項目を生成するステップ（ステップＳ１５）と、検索されたＷｅｂサイトのサイト情報と共に広告情報を検索結果ページに表示するステップ（ステップＳ１６）とを有した。【選択図】図６
2010231592.tif 000002
【特許請求の範囲】
【請求項１】
検索されたＷｅｂサイトのサイト情報と共に広告情報を検索結果ページに表示する検索サーバであって、
前記Ｗｅｂサイトのサイト情報が登録された検索用データベースと、
前記検索用データベースを参照し、入力された検索キーワードに応じて前記Ｗｅｂサイトを検索するＷｅｂサイト検索手段と、
前記Ｗｅｂサイト検索手段の検索結果を用い、検索されたＷｅｂサイトに関連付けられた広告情報を取得する広告情報取得手段と、
前記検索結果と前記広告情報とから前記検索結果ページの表示項目を生成する表示項目生成手段とを備えたことを特徴とする検索サーバ。
【請求項２】
前記広告情報は、前記Ｗｅｂサイト検索手段の検索結果に連動して表示される連動広告情報を含み、
前記連動広告情報と前記Ｗｅｂサイト検索手段の検索結果に対する前記連動広告情報の選択可能条件とが関連付けられて登録された広告用データベースを備え、
前記広告情報取得手段は、前記検索結果が前記選択可能条件を満たす場合に、前記選択可能条件に関連付けられた連動広告情報を選択して取得する連動広告情報取得手段を含むことを特徴とする請求項１に記載の検索サーバ。
【請求項３】
前記選択可能条件は、広告主により前記広告用データベースに登録可能であることを特徴とする請求項２に記載の検索サーバ。
【請求項４】
前記Ｗｅｂサイト検索手段の検索結果は前記Ｗｅｂサイトの検索ヒット件数を含み、
前記広告用データベースには前記選択可能条件として前記検索ヒット件数の件数条件が登録されることを特徴とする請求項２または請求項３に記載の検索サーバ。
【請求項５】
前記広告用データベースに前記選択可能条件として登録された前記検索ヒット件数の件数条件は２件以上であり、
前記連動広告情報取得手段は、前記Ｗｅｂサイト検索手段の検索結果に含まれた検索ヒット件数が２件以上の場合に、検索された２件以上のＷｅｂサイトを比較する比較サイトのサイト情報を前記連動広告情報として取得することを特徴とする請求項４に記載の検索サーバ。
【請求項６】
前記広告情報は、前記Ｗｅｂサイトのサイト情報に対応して前記検索用データベースに登録された個別広告情報を含み、
前記広告情報取得手段は、前記検索結果に応じて個別広告情報を取得する個別広告情報取得手段を含むことを特徴とする請求項１ないし請求項５のいずれかに記載の検索サーバ。
【請求項７】
前記個別広告情報は、広告主により前記検索用データベースに登録可能であることを特徴とする請求項６に記載の検索サーバ。
【請求項８】
前記個別広告情報は、電話番号であることを特徴とする請求項６または請求項７に記載の検索サーバ。
【請求項９】
Ｗｅｂサイトのサイト情報が登録された検索用データベースを参照し、入力された検索キーワードに応じて前記Ｗｅｂサイトを検索するステップと、
Ｗｅｂサイトの検索結果を用い、検索されたＷｅｂサイトに関連付けられた広告情報を取得するステップと、
前記検索結果と前記広告情報とから検索結果ページの表示項目を生成するステップと、
検索された前記Ｗｅｂサイトのサイト情報と共に前記広告情報を前記検索結果ページに表示するステップとを有することを特徴とする検索方法。
【発明の詳細な説明】
【技術分野】
【０００１】
本発明は、Ｗｅｂサイトのサイト情報と共に広告情報を検索して表示する検索サーバおよび検索方法に関する。
【背景技術】
【０００２】
従来、検索したＷｅｂサイトのサイト情報と共に広告情報を表示する検索サーバにおいて、入力された検索キーワードに応じてＷｅｂサイトのサイト情報と共に広告情報を検索結果ページに表示するものが知られている（例えば、特許文献１参照）。この検索サーバにおいては、Ｗｅｂサイトの検索用データベースと、広告主の出稿情報に基づいて構成された広告用データベースとを備えており、入力された検索キーワードにより検索用データベースおよび広告用データベースを個別に検索して、Ｗｅｂサイトのサイト情報と共に広告情報を検索結果ページに表示している。
【先行技術文献】
【特許文献】
【０００３】
【特許文献１】特開２００６−３５０６６８号公報
【発明の概要】
【発明が解決しようとする課題】
【０００４】
しかしながら、上記した検索サーバにおいては、入力された検索キーワードにより検索用データベースと広告用データベースとを個別に検索しているため、ユーザにとって有益な広告情報のみを表示させることが困難であった。例えば、Ｗｅｂサイトに対して関連性の低い広告情報が表示されたり、Ｗｅｂサイトと同一のサイトが広告情報として表示されたり、Ｗｅｂサイトと略同一の情報（例えば、天気情報）を提供するサイトが広告情報として表示される場合があった。また、広告用データベースは、広告主の出稿情報に基づいて構成されているため、検索サービス提供者側でＷｅｂサイトと広告情報との関連性を調整することが困難であるという問題があった。
【０００５】
本発明は、かかる点に鑑みてなされたものであり、検索されたＷｅｂサイトのサイト情報と共に、ユーザにとって有益な広告情報を表示させることができる検索サーバおよび検索方法を提供することを目的とする。
【課題を解決するための手段】
【０００６】
本発明の検索サーバは、検索されたＷｅｂサイトのサイト情報と共に広告情報を検索結果ページに表示する検索サーバであって、前記Ｗｅｂサイトのサイト情報が登録された検索用データベースと、前記検索用データベースを参照し、入力された検索キーワードに応じて前記Ｗｅｂサイトを検索するＷｅｂサイト検索手段と、前記Ｗｅｂサイト検索手段の検索結果を用い、検索されたＷｅｂサイトに関連付けられた広告情報を取得する広告情報取得手段と、前記検索結果と前記広告情報とから前記検索結果ページの表示項目を生成する表示項目生成手段とを備えたことを特徴とする。
【０００７】
本発明の検索方法は、Ｗｅｂサイトのサイト情報が登録された検索用データベースを参照し、入力された検索キーワードに応じて前記Ｗｅｂサイトを検索するステップと、Ｗｅｂサイトの検索結果を用い、検索されたＷｅｂサイトに関連付けられた広告情報を取得するステップと、前記検索結果と前記広告情報とから検索結果ページの表示項目を生成するステップと、検索された前記Ｗｅｂサイトのサイト情報と共に前記広告情報を前記検索結果ページに表示するステップとを有することを特徴とする。
【０００８】
この構成によれば、Ｗｅｂサイトの検索結果を用いて広告情報が取得されるため、検索サービス提供者側でＷｅｂサイトと広告情報との関連性を調整することができ、検索されたＷｅｂサイトに対して関連性の高い広告情報を表示することができる他、検索されたＷｅｂサイトと同一のサイトや検索されたＷｅｂサイトと略同一の情報を提供するサイトを広告情報として表示するのを防止することができる。したがって、検索されたＷｅｂサイトのサイト情報と共に、ユーザにとって有益な広告情報を表示させることができる。
【０００９】
また本発明は、上記検索サーバにおいて、前記広告情報は、前記Ｗｅｂサイト検索手段の検索結果に連動して表示される連動広告情報を含み、前記連動広告情報と前記検索結果に対する前記連動広告情報の選択可能条件とが関連付けられて登録された広告用データベースを備え、前記広告情報取得手段は、前記Ｗｅｂサイト検索手段の検索結果が前記選択可能条件を満たす場合に、前記選択可能条件に関連付けられた連動広告情報を選択して取得する連動広告情報取得手段を含むことを特徴とする。
【００１０】
この構成によれば、Ｗｅｂサイトの検索結果が広告用データベースに登録された連動広告情報の選択可能条件を満たす場合にのみ連動広告情報が表示されるため、検索されたＷｅｂサイトに対して関連性の低い連動広告情報を表示し難くすることができる。
【００１１】
また本発明は、上記検索サーバにおいて、前記選択可能条件は、広告主により前記広告用データベースに登録可能であることを特徴とする。
【００１２】
この構成によれば、広告主により個別広告情報が定義されるため、広告主にとって適切な表示内容とすることができる。
【００１３】
また本発明は、上記検索サーバにおいて、前記Ｗｅｂサイト検索手段の検索結果は前記Ｗｅｂサイトの検索ヒット件数を含み、前記広告用データベースには前記選択可能条件として前記検索ヒット件数の件数条件が登録されることを特徴とする。
【００１４】
この構成によれば、Ｗｅｂサイトの検索ヒット件数に応じた連動広告情報を表示することができる。例えば、検索ヒット件数が２件以上の場合には、ヒットした２件以上のＷｅｂサイトの比較サイトのサイト情報を表示し、検索ヒット件数が１件以下の場合には、紹介サイトのサイト情報を表示することができる。
【００１５】
また本発明は、上記検索サーバにおいて、前記広告用データベースに前記選択可能条件として登録された前記検索ヒット件数の件数条件は２件以上であり、前記連動広告情報取得手段は、前記Ｗｅｂサイト検索手段の検索結果に含まれた検索ヒット件数が２件以上の場合に、検索された２件以上のＷｅｂサイトを比較する比較サイトのサイト情報を前記連動広告情報として取得することを特徴とする。
【００１６】
この構成によれば、ヒットした２件以上のＷｅｂサイトの比較サイトのサイト情報を表示し、ユーザに各Ｗｅｂサイト内の情報を比較させることができるため、ユーザに対してより有益な連動広告情報を表示させることができる。
【００１７】
また本発明は、上記検索サーバにおいて、前記広告情報は、前記Ｗｅｂサイトのサイト情報に対応して前記検索用データベースに登録された個別広告情報を含み、前記広告情報取得手段は、前記検索結果に応じて個別広告情報を取得する個別広告情報取得手段を含むことを特徴とする。
【００１８】
この構成によれば、検索されたＷｅｂサイトと共に、当該Ｗｅｂサイトに対応した個別広告情報を表示させることができるため、検索されたＷｅｂサイトに対して関連性の高い個別広告情報を表示させることができる。
【００１９】
また本発明は、上記検索サーバにおいて、前記個別広告情報は、広告主により前記検索用データベースに登録可能であることを特徴とする。
【００２０】
この構成によれば、広告主により連動広告情報および選択可能条件がそれぞれ定義されるため、広告主にとって適切な表示内容を適切な状況で表示させることができる。
【００２１】
また本発明は、上記検索サーバにおいて、前記個別広告情報は、電話番号であることを特徴とする。
【００２２】
この構成によれば、Ｗｅｂサイトのサイト情報と共に電話番号を表示させることができる。
【発明の効果】
【００２３】
本発明によれば、検索されたＷｅｂサイトのサイト情報と共に、ユーザにとって有益な広告情報を表示させることができる。
【図面の簡単な説明】
【００２４】
【図１】本発明に係る通信制御システムの実施の形態を示す図であり、サイト検索システムの概略構成図である。
【図２】本発明に係る通信制御システムの実施の形態を示す図であり、検索用データベースの一例を示す図である。
【図３】本発明に係る通信制御システムの実施の形態を示す図であり、登録用データベースの一例を示す図である。
【図４】本発明に係る通信制御システムの実施の形態を示す図であり、従来の検索サーバの検索結果ページの一例を示す図である。
【図５】本発明に係る通信制御システムの実施の形態を示す図であり、本発明の検索サーバの検索結果ページの一例を示す図である。
【図６】本発明に係る通信制御システムの実施の形態を示す図であり、検索システムにおけるデータフロー図である。
【図７】本発明に係る通信制御システムの実施の形態を示す図であり、検索サーバにおける検索結果ページの生成処理のフローチャートである。
【発明を実施するための形態】
【００２５】
以下、本発明の実施の形態について添付図面を参照して詳細に説明する。図１は、サイト検索システムの概略構成図である。なお、本実施の形態では、説明の便宜上、携帯電話機を用いたサイト検索について説明するが、携帯電話機に限らず検索サーバにアクセス可能な通信端末であれば、パーソナルコンピュータ、ＰＤＡ、ＦＡＸ、固定電話機等であってもよい。
【００２６】
図１に示すように、サイト検索システム１は、携帯電話機２のユーザに対してサイト検索サービスを提供するものであり、複数の携帯電話機２（図では２台のみ図示）と、複数の携帯電話機２によりネットワーク３を介して接続される検索サーバ４および複数のＷｅｂサーバ５（図では４つのみ図示）とから構成されている。なお、ネットワーク３は、図示はしないが、無線基地局や携帯電話網を介して携帯電話機２に接続されており、複数のパケット交換機やゲートウェイ等から構成されている。
【００２７】
携帯電話機２は、通話機能の他、データ通信機能を備えており、内蔵されたＷｅｂブラウザによりＷｅｂサーバ５に接続される。Ｗｅｂブラウザは、Ｗｅｂサイトを閲覧するためのアプリケーションであり、Ｗｅｂサーバ５からＷｅｂサイトのＷｅｂデータを受信して、Ｗｅｂデータに含まれるマルチメディアデータや各種プログラムにより携帯電話機２のディスプレイにＷｅｂサイトを表示させる。
【００２８】
Ｗｅｂサーバ５は、携帯電話機２のＷｅｂブラウザに対して、Ｗｅｂサイトを提供するものであり、Ｗｅｂサイトを構成するマルチメディアデータや各種プログラム等のＷｅｂデータを保存している。Ｗｅｂサーバ５は、携帯電話機２のＷｅｂブラウザの要求に応じてＷｅｂデータを携帯電話機２に送信することにより、携帯電話機２のディスプレイにＷｅｂサイトを表示させている。
【００２９】
検索サーバ４は、携帯電話機２のユーザに対して、ネットワーク３に接続されたＷｅｂサイトを検索するための検索サイトを提供するものであり、Ｗｅｂサイトの管理、Ｗｅｂサイトの検索処理、Ｗｅｂサイトの検索結果の表示処理をしている。また、検索サーバ４には、検索サイトを構成するマルチメディアデータや各種プログラム等のＷｅｂデータを保存している。
【００３０】
また、検索サーバ４は、検索用データベース１５を有する検索エンジン１１と、広告用データベース１２とから構成されており、検索エンジン１１は、入力された検索キーワードに応じてＷｅｂサイトを検索し、Ｗｅｂサイトのサイト情報と共にＷｅｂサイトに関連性の高い広告情報を表示する検索結果ページを生成する。なお、本実施の形態における検索エンジン１１は、サービス提供者により検索用データベース１５にサイト情報が登録されるディレクトリ型の検索エンジン、または自動的に検索用データベース１５にサイト情報が登録されるロボット型の検索エンジンのどちらでもよいが、以下の説明ではディレクトリ型の検索エンジンとして説明する。
【００３１】
検索エンジン１１は、上記した検索用データベース１５、Ｗｅｂサイト検索部１６、広告情報取得部１７、表示項目生成部１８を有している。なお、検索用データベース１５、Ｗｅｂサイト検索部１６、広告情報取得部１７、表示項目生成部１８は、検索サーバ４内に組み込まれたＣＰＵ(Central Processing Unit)がＲＯＭ（Read Only Memory）内の各種プログラムに従ってＲＡＭ（Random Access Memory）内のデータを演算し、各部と協働して処理を実行するようになっている。
【００３２】
検索用データベース１５には、図２に示すように、Ｗｅｂサイト毎に検索レコードが登録されており、検索レコードはＷｅｂサイトのサイト情報が格納されるサイト情報フィールドと、Ｗｅｂサイトの個別広告情報が格納される個別広告フィールドによって構成されている。また、サイト情報フィールドは、タイトルフィールド、概要文フィールド、ＵＲＬフィールド等を含んで構成され、個別広告フィールドは、複数の項目指定フィールドと項目指定フィールドに対応したデータフィールドとを含んで構成されている。
【００３３】
各検索レコードのタイトルフィールドにはＷｅｂサイトのサイト名データ、概要文フィールドにはＷｅｂサイトの概要文データ、ＵＲＬフィールドにはＷｅｂサイトのＵＲＬデータがそれぞれ格納され、これらＷｅｂサイトのサイト情報はサービス提供者により登録される。よって、サービス提供者側で登録内容が管理され、Ｗｅｂサイトのサイト情報の品質が一定に保たれている。
【００３４】
また、各検索レコードの項目指定フィールドには広告主により任意に指定されたフィールド名、データフィールドには項目指定フィールドに対応した値データがそれぞれ格納され、これらＷｅｂサイトの個別広告情報は広告主により登録される。よって、広告主により個別広告情報が定義されるため、広告主にとって適切な表示内容とすることが可能となる。
【００３５】
例えば、図３に示す例では、一段目の検索レコードの項目指定フィールドに「電話番号」、データフィールドに「○○−○○−○○」がそれぞれ登録され、二段目の検索レコードの項目指定フィールドおよびデータフィールドには、未設定を示す「−」が登録されている。
【００３６】
広告用データベース１２は、図３に示すように、検索エンジン１１の検索結果に連動して表示される連動広告情報毎に連動広告レコードが登録されており、連動広告レコードはタイトルフィールド、選択可能条件フィールド、表示文言フィールド、ＵＲＬフィールド、付加情報フィールドによって構成されている。なお、本実施の形態における連動広告情報は、連動広告レコードの選択可能条件フィールドを除く各フィールドに格納されたデータを示している。
【００３７】
各連動広告レコードのタイトルフィールドにはＷｅｂサイトのサイト名データ、選択可能条件フィールドには連動広告情報を選択して表示させるための選択可能条件、表示文言フィールドにはＷｅｂサイトの表示文言データ、ＵＲＬフィールドにはＷｅｂサイトのＵＲＬデータ、付加情報フィールドにはＷｅｂサイトの付加情報データがそれぞれ格納され、これらは広告主により登録される。よって、広告主により連動広告情報および選択可能条件がそれぞれ定義されるため、広告主にとって適切な表示内容を適切な状況で表示させることが可能となる。
【００３８】
例えば、図３に示す例では、検索ヒット件数が２件以上の場合に一段目の連動広告レコードの選択可能条件フィールドを除く各フィールドに格納されたデータからなる比較サイトのサイト情報が連動広告情報として選択され、検索ヒット件数が１件以下の場合に二段目の連動広告レコードの選択可能条件フィールドを除く各フィールドに格納されたデータからなる紹介サイトのサイト情報が連動広告情報として選択される。
【００３９】
図１に戻り、Ｗｅｂサイト検索部１６は、検索用データベース１５を参照し、入力された検索キーワードに応じてＷｅｂサイトを検索し、検索結果を広告情報取得部１７に出力する。ここでいう検索結果とは、Ｗｅｂサイト検索部１６の検索により、検索されたＷｅｂサイトのサイト情報、個別広告情報、検索ヒット件数を含むものである。
【００４０】
広告情報取得部１７は、連動広告情報取得部１７ａ、個別広告情報取得部１７ｂを有しており、連動広告情報取得部１７ａは連動広告情報を取得し、個別広告情報取得部１７ｂは個別広告情報を取得する。連動広告情報取得部１７ａは、広告用データベース１２を参照し、Ｗｅｂサイト検索部１６により出力された検索結果が広告用データベースの選択可能条件を満たす場合に、選択可能条件に関連付けられた連動広告情報を取得して表示項目生成部１８に出力する。個別広告情報取得部１７ｂは、Ｗｅｂサイト検索部１６により出力された検索結果に個別広告情報がある場合に個別広告情報を取得して表示項目生成部１８に出力する。
【００４１】
表示項目生成部１８は、検索されたＷｅｂサイトのサイト情報、検索ヒット件数、連動広告情報、個別広告情報に基づいて検索結果ページの表示項目を生成する。例えば、検索ヒット件数が５件の場合には、連動広告情報取得部１７ａにより広告用データベース１２から取得された比較サイトのサイト情報に基づいて「上記の５サイトの徹底比較する」という比較サイトへのリンクを生成し、検索結果に「電話番号」、「○○−○○−○○」が含まれている場合には、個別広告情報取得部１７ｂにより取得された「電話番号」と「○○−○○−○○」とを組み合わせて「電話番号○○−○○−○○」を生成する。
【００４２】
ここで、本発明の検索サーバを備えた検索システムにおける検索結果ページと従来の検索サーバを備えた検索システムにおける検索結果ページとを比較して説明する。まず、従来の検索サーバを備えた検索システムにおける検索結果ページについて説明する。
【００４３】
図４は、従来の検索サーバの検索結果ページの一例を示す図である。ここでいう従来の検索システムとは、入力された検索キーワードに応じて検索用データベースと広告用データベースとを個々に検索するものを示している。
【００４４】
図４に示すように、検索キーワードとして「花」が入力された場合、広告情報として「お花販売．ｃｏｍ」、「花屋への転職はコチラ」が表示され、サイト情報として「お花販売．ｃｏｍ」、「Ａフラワー」、「Ｂ花販売店」、「Ｃ花ギフト」、「Ｄ花壇・種店」が表示される。この場合、従来の検索サーバでは、入力された検索キーワードに応じて検索用データベースと広告用データベースとを個々に検索しているため、広告情報として表示された「お花販売．ｃｏｍ」がサイト情報としても表示されている。また、広告用データベースにおける検索方法が単に文字列一致であるため、サイト情報と関連性の低い「花屋への転職はコチラ」というリンクが広告情報として表示されている。
【００４５】
続いて本発明の検索サーバ４の検索結果ページについて説明する。図５は、本発明の検索サーバの検索結果ページの一例を示す図である。
【００４６】
図５に示すように、検索キーワードとして「花」が入力された場合、サイト情報として「お花販売．ｃｏｍ」、「Ａフラワー」、「Ｂ花販売店」、「Ｃ花ギフト」、「Ｄ花壇・種店」が表示される。また、「お花販売．ｃｏｍ」には検索用データベース１５において「電話番号」、「○○−○○−○○」が関連付けられており、「電話番号○○−○○−○○」が、「お花販売．ｃｏｍ」の下方に表示される。さらに、検索ヒット件数が５件以上であり、広告用データベース１２の一段目の連動広告レコードに登録された比較サイトの選択可能条件を満たし、比較サイトのサイト情報として「上記の５サイトを徹底比較する」というリンクが表示される。
【００４７】
このように、検索サーバ４は、検索用データベース１５と広告用データベース１２とを入力された検索キーワードに応じて個々に検索するのではなく、検索用データベース１５の検索結果を用いて広告情報を表示しているので、検索結果ページに表示される広告情報をユーザに有益な情報に絞ることを可能としている。また、広告情報の表示が、広告用データベースにおける文字列の一致検索ではなく、選択可能条件に基づいて連動広告情報が選択されるため、検索されたＷｅｂサイトに対して関連性の低い連動広告情報を表示し難くすることを可能としている。
【００４８】
次に、図６を参照して検索システムにおけるデータフローについて簡単に説明する。図６は、検索システムにおけるデータフロー図である。
【００４９】
図６に示すように、ユーザの携帯電話機２により検索ページにおいて検索キーワードが入力されると（ステップＳ１１）、検索エンジン１１において検索が実行される（ステップＳ１２）。
検索エンジン１１において検索が実行されると、広告用データベース１２と検索結果とを照らし合わせて（ステップＳ１３）、広告用データベース１２から連動広告情報が取得される（ステップＳ１４）。
【００５０】
そして、検索結果に含まれたＷｅｂサイトのサイト情報、検索ヒット件数、個別広告情報および広告用データベース１２から取得された連動広告情報から検索結果ページの表示項目が生成され（ステップＳ１５）、ユーザの携帯電話機２に検索結果ページが表示される（ステップＳ１６）。
【００５１】
続いて、図７を参照して検索サーバにおける検索結果ページの生成処理について説明する。図７は、検索サーバにおける検索結果ページの生成処理のフローチャートである。
【００５２】
図７に示すように、ユーザの携帯電話機２により検索キーワードが入力されて検索が実行されると（ステップＳ２１）、広告用データベース１２を参照して検索結果が選択可能条件を満たすか否かが判定される（ステップＳ２２）。例えば、選択可能条件として広告用データベース１２に検索ヒット件数の件数条件が設定されている場合には、検索結果に含まれる検索ヒット件数と広告用データベース１２に登録された検索ヒット件数の件数条件とが比較される。
【００５３】
次に、検索結果が選択可能条件を満たすと判定された場合（ステップＳ２２：Ｙｅｓ）、選択条件を満たした連動広告情報が選択され（ステップＳ２３）、連動広告情報の表示項目が確定される（ステップＳ２４）。
一方、検索結果が選択可能条件を満たさないと判定された場合（ステップＳ２２：Ｎｏ）、連動広告情報が選択されずにステップＳ２５に移行する。
【００５４】
次に、ステップＳ２４において連動広告情報の表示項目が確定された場合、またはステップＳ２２において検索結果が選択可能条件を満たさないと判定された場合、検索結果に個別広告情報が含まれるか否かが判定される（ステップＳ２５）。
【００５５】
次に、検索結果に個別広告情報が含まれる場合（ステップＳ２５:Ｙｅｓ）、個別広告情報の表示項目が確定される（ステップＳ２６）。
一方、検索結果に個別広告情報が含まれない場合（ステップＳ２５：Ｎｏ）、ステップＳ２７に移行する。
【００５６】
そして、検索結果に含まれるＷｅｂサイトのサイト情報、検索ヒット件数、確定された連動広告情報、確定された個別広告情報から表示項目が生成され、検索結果ページが生成される（ステップＳ２７）。例えば、Ｗｅｂサイトのタイトル名およびＵＲＬがリスト状に表示されると共に、広告サイトへのリンクや電話番号等のＷｅｂサイトの詳細情報が表示される。
【００５７】
以上のように、本実施の形態に係る検索サーバによれば、Ｗｅｂサイトの検索結果を用いて広告情報が取得されるため、検索サービス提供者側でＷｅｂサイトと広告情報との関連性を調整することができ、検索されたＷｅｂサイトに対して関連性の高い広告情報を表示することができる他、検索されたＷｅｂサイトと同一のサイトや検索されたＷｅｂサイトと略同一の情報を提供するサイトを広告情報として表示するのを防止することができる。したがって、検索されたＷｅｂサイトのサイト情報と共に、ユーザにとって有益な広告情報を表示させることができる。
【００５８】
なお、上記した実施の形態では、検索用データベース１５の個別広告フィールドおよび広告用データベースに格納されたデータを広告主により登録する構成としたが、サービス提供者が登録するようにしてもよい。この構成により、サービス提供者側でＷｅｂサイトと広告情報との関連性をより適切に調整することが可能となる。
【００５９】
また、今回開示された実施の形態は、全ての点で例示であってこの実施の形態に制限されるものではない。本発明の範囲は、上記した実施の形態のみの説明ではなくて特許請求の範囲によって示され、特許請求の範囲と均等の意味および範囲内での全ての変更が含まれることが意図される。
【産業上の利用可能性】
【００６０】
以上説明したように、本発明は、検索されたＷｅｂサイトのサイト情報と共に、ユーザにとって有益な広告情報を表示させることができるという効果を有し、特にＷｅｂサイトのサイト情報と共に広告情報を検索して表示する検索サーバおよび検索方法に有用である。
【符号の説明】
【００６１】
１  サイト検索システム
２  携帯電話機
３  ネットワーク
４  検索サーバ
５  Ｗｅｂサーバ
１１  検索エンジン
１２  広告用データベース
１５  検索用データベース
１６  Ｗｅｂサイト検索部（Ｗｅｂサイト検索手段）
１７  広告情報取得部（広告情報取得手段）
１７ａ  連動広告情報取得部（連動広告情報取得手段）
１７ｂ  個別広告情報取得部（個別広告情報取得手段）
１８  表示項目生成部（表示項目生成手段）
【図１】
2010231592.tif 000003
【図２】
2010231592.tif 000004
【図３】
2010231592.tif 000005
【図４】
2010231592.tif 000006
【図５】
2010231592.tif 000007
【図６】
2010231592.tif 000008
【図７】
2010231592.tif 000009